(57)【要約】【課題】箱本体１の製造コストの低減並びに取扱い性の向上などを行え、しかも従来の帯状磁石に比べて合成樹脂または木または壁紙などの非磁性面に箱本体１を接着できる。【解決手段】多層状に折畳んだティッシュペーパ７を収納する箱本体１の外側に両面テープ２を接着させることを特徴とする。【選択図】      図１
2004314999.tif 000002
【特許請求の範囲】
【請求項１】
多層状に折畳んだティッシュペーパを収納する箱本体の外側に両面テープを接着させることを特徴とするティッシュペーパ収納紙箱。
【請求項２】
両面テープの接着シートを外側の剥離シートよりも小面積に形成することを特徴とする請求項１に記載のティッシュペーパ収納紙箱。
【請求項３】
ティッシュペーパを引出す箱本体の取出口に設ける取出フィルムと切離片の間に両面テープを保管することを特徴とする請求項１に記載のティッシュペーパ収納紙箱。
【発明の詳細な説明】
【０００１】
【発明の属する技術分野】
本発明は多層状に折畳んだティッシュペーパを１枚ずつ引出し自在に収納するティッシュペーパ収納紙箱に関する。
【０００２】
【従来の技術】
従来、ティッシュペーパを収納する箱本体に帯状磁石を取付け、箱本体を帯状磁石によって冷蔵庫の側面などに接着させる技術がある。（例えば、特許文献１参照）
【０００３】
【特許文献１】特開２００３−２００８０号公報
【０００４】
【発明が解決しようとする課題】
前記従来技術は、箱本体を特別に加工して形成する切込みに帯状磁石を差込んで装着する手間が必要であると共に、箱本体が空になったときに帯状磁石を取外すことにより、帯状磁石を紛失し易い等の取扱い上の問題がある。
【０００５】
【課題を解決するための手段】
然るに、本発明は、多層状に折畳んだティッシュペーパを収納する箱本体の外側に両面テープを接着させるもので、従来の帯状磁石のように差込み用の切込みを箱本体に形成する必要がなく、また箱本体が空になっても両面テープを取外すことがないから、箱本体の製造コストの低減並びに取扱い性の向上などを容易に行い得、しかも従来の帯状磁石に比べて合成樹脂または木または壁紙などの非磁性面に箱本体を容易に接着し得るものである。
【０００６】
また、両面テープの接着シートを外側の剥離シートよりも小面積に形成するもので、両面テープを接着させた箱本体の接着面が剥離シートを剥すときに内側に凹んでも、剥離シートの端部を接着シートから剥す操作を容易に行い得るものである。
【０００７】
また、ティッシュペーパを引出す箱本体の取出口に設ける取出フィルムと切離片の間に両面テープを保管するもので、切離片を取外して取出口を開放させるとき、両面テープを取出して箱本体に貼付け得、箱本体の底面または側面の希望する場所に両面テープを貼付けて使用し得、また両面テープによる箱本体の接着が不要なとき、両面テープを他の目的に使用し得るものである。
【０００８】
【発明の実施の形態】
以下、本発明の実施例を図面に基づいて詳述する。図１は全体の斜視図、図２は使用状態の説明図、図３は着脱説明図であり、紙製の四角形の箱本体１の底面外側に両面テープ２を接着させると共に、両面テープ２の接着シート３を残し乍ら外側の剥離シート４を剥し、各種材質の壁面５に接着シート３を介して箱本体１を接着させるもので、四角形の接着シート３の角隅部を切除して切欠６を形成し、切欠６部の剥離シート４端部側から剥すように構成している。
【０００９】
上記から明らかなように、多層状に折畳んだティッシュペーパ７を収納する箱本体１の外側に両面テープ２を接着させ、従来の帯状磁石のように差込み用の切込みを箱本体１に形成する必要がなく、また箱本体１が空になっても両面テープ２を取外すことがなく、箱本体１の製造コストの低減並びに取扱い性の向上などを行え、しかも従来の帯状磁石に比べて合成樹脂または木または壁紙などの非磁性面に箱本体１を接着させる。また、両面テープ２の接着シート３を外側の剥離シート４よりも小面積に形成し、両面テープ２を接着させた箱本体１の接着面が剥離シート４を剥すときに内側に凹んでも、剥離シート４の端部を接着シート３から剥す操作を行えある。
【００１０】
さらに、図４に示す如く、１枚の台紙を加工して箱本体１を製造するとき、ミシン目８を介して箱本体１の上面に切離片９を形成し、切離片９の内側に取出フィルム１０を貼付け、ティッシュペーパ７を引出す取出口１１を設けると共に、取出フィルム１０を貼付けるとき、切離片９と取出フィルム１０の間に短冊形の両面テープ２を挾み込むもので、図５に示すように、両面テープ２の表裏の剥離シート４に対して接着シート３を短く形成し、剥離シート４を取外し易いように構成している。
【００１１】
また、ティッシュペーパ７を引出す箱本体１の取出口１１に設ける取出フィルム１０と切離片９の間に両面テープ２を保管し、切離片９を取外して取出口１１を開放させるとき、両面テープ２を取出して箱本体１に貼付け、箱本体１の底面または側面の希望する場所に両面テープ２を貼付けて使用し、また両面テープ２による箱本体１の接着が不要なとき、両面テープ２を他の目的に使用する。
【００１２】
さらに、図６に示す如く、上記の短冊形に代えて花形またはハート形などのシール構造の複数の両面テープ２を、切離片９と取出フィルム１０の間に挾み込んで保管するもので、シール構造の両面テープ２を、箱本体１の接着または一般のシールとしてまたは他の接着目的に使用する。
【００１３】
【発明の効果】
以上実施例から明らかなように本発明は、請求項１の如く、多層状に折畳んだティッシュペーパ７を収納する箱本体１の外側に両面テープ２を接着させるもので、従来の帯状磁石のように差込み用の切込みを箱本体１に形成する必要がなく、また箱本体１が空になっても両面テープ２を取外すことがないから、箱本体１の製造コストの低減並びに取扱い性の向上などを容易に行うことができ、しかも従来の帯状磁石に比べて合成樹脂または木または壁紙などの非磁性面に箱本体１を容易に接着できるものである。
【００１４】
また、請求項２の如く、両面テープ２の接着シート３を外側の剥離シート４よりも小面積に形成するもので、両面テープ２を接着させた箱本体１の接着面が剥離シート４を剥すときに内側に凹んでも、剥離シート４の端部を接着シート３から剥す操作を容易に行うことができるものである。
【００１５】
また、請求項３の如く、ティッシュペーパ７を引出す箱本体１の取出口１１に設ける取出フィルム１０と切離片９の間に両面テープ２を保管するもので、切離片９を取外して取出口１１を開放させるとき、両面テープ２を取出して箱本体１に貼付けることができ、箱本体１の底面または側面の希望する場所に両面テープ２を貼付けて使用でき、また両面テープ２による箱本体１の接着が不要なとき、両面テープ２を他の目的に使用できるものである。
【図面の簡単な説明】
【図１】全体の斜視図。
【図２】使用状態の説明図。
【図３】着脱説明図。
【図４】両面テープの収納説明図。
【図５】両面テープの斜視図。
【図６】両面テープの変形説明図。
【符号の説明】
１      箱本体
２      両面テープ
３      接着シート
４      剥離シート
７      ティッシュペーパ
９      切離片
１０    取出フィルム
１１    取出口
【図１】
2004314999.tif 000003
【図２】
2004314999.tif 000004
【図３】
2004314999.tif 000005
【図４】
2004314999.tif 000006
【図５】
2004314999.tif 000007
【図６】
2004314999.tif 000008